(57)【要約】【課題】ストローを使用せずに、簡単な操作で内容物を飲食できる容器を提供する。【解決手段】容器１０は、内容物の収容空間を区画する底部２１および胴部２２を有し、該胴部２２の上端縁より外方へフランジ２６が延設された容器本体２０と、フランジ２６の上面に周縁部下面を剥離可能に固着され、その一部を剥離することで内容物の排出口Ｅを出現させる蓋体３０と、を備え、胴部２２は、内側に押し込み可能な押圧部２３を有する。【選択図】図１
2020066448.tif 000002
【特許請求の範囲】
【請求項１】
内容物の収容空間を区画する底部および胴部を有し、該胴部の上端縁より外方へフランジが延設された容器本体と、
前記フランジの上面に周縁部下面を剥離可能に固着され、その一部を剥離することで内容物の排出口を出現させる蓋体と、を備える容器であって、
前記胴部は、内側に押し込み可能な押圧部を有することを特徴とする容器。
【請求項２】
前記胴部は、前記押圧部の周囲に前記押し込みを可能とする薄肉部を有する、請求項１に記載の容器。
【請求項３】
前記容器本体は、前記胴部の、前記押圧部に対応した位置に貫通穴を有する有底筒状の外層体と、該外層体の内側に配置され前記貫通穴より露出する部分が前記押圧部となる内層体とを有する、請求項１に記載の容器。
【請求項４】
前記胴部は、上方に向かうに従って外方へ迫り出しその上端にて前記排出口を区画する排出誘導部を有する、請求項１から３までのいずれか一項に記載の容器。
【請求項５】
前記排出誘導部の迫り出し方向を前方として、前記押圧部は前記胴部の前面側および後面側にそれぞれ設けられている、請求項４に記載の容器。
【請求項６】
上面に前記蓋体が固着されるとともに前記フランジに引き起こし可能に連結され、その引き起こしにより前記蓋体の一部を前記フランジから剥離する摘み片を有する、請求項１から５までのいずれか一項に記載の容器。
【請求項７】
前記摘み片に上向きに設けられ、前記摘み片が引き起こされた後、上下反転するまで折り倒されたときに前記蓋体に突き刺さってそこに係止され、該摘み片の折り倒し姿勢を保持する係止突起を備える、請求項６に記載の容器。
【発明の詳細な説明】
【技術分野】
【０００１】
本発明は、飲料や流動性の食品を収容する容器に関する。
【背景技術】
【０００２】
この種の容器は、内容物を収容する容器本体と、該容器本体の上部開口を閉塞する蓋体とを備えており、例えば内容物がジュースやアイスコーヒー等の冷飲料の場合には、内容物を喫飲する際にストローが用いられることがある。例えば特許文献１では、ストローを差し込むために蓋体に形成された十字状の切り込みからの液漏れを抑制するため、蓋体に切り込みを形成するのに代えて、レーザ光線によって押切予定部を設ける技術が提案されている。
【先行技術文献】
【特許文献】
【０００３】
【特許文献１】特開２０１７−１１４５１４号公報
【発明の概要】
【発明が解決しようとする課題】
【０００４】
ところで、近年、プラスチックごみによる環境汚染への懸念が高まっており、プラスチック製ストローの使用を廃止する動きが世界的に広がっている。ストローを使用しない場合、蓋体を部分的に開放することで飲み口を出現させ、容器を傾けてこの飲み口から内容物を摂取することが考えられるが、内容物がシャーベット状物（スムージー等）やゼリー状物などの濃厚流動食の場合には、容器を傾けても内容物が出ないあるいは出にくいという問題がある。
【０００５】
本発明の目的は、ストローを使用せずに、簡単な操作で内容物を飲食できる容器を提供することにある。
【課題を解決するための手段】
【０００６】
上記課題を解決するため、本発明は、内容物の収容空間を区画する底部および胴部を有し、該胴部の上端縁より外方へフランジが延設された容器本体と、前記フランジの上面に周縁部下面を剥離可能に固着され、その一部を剥離することで内容物の排出口を出現させる蓋体と、を備える容器であって、前記胴部は、内側に押し込み可能な押圧部を有する。なお、押圧部は、外力を加えた際に胴部の他の部分に優先して局所的に変形する部分である。従って、胴部の当該他の部分は全く変形しない構成でも、押圧部よりも小さな変形量で変形する構成でもよい。
【０００７】
本発明の好適な態様では、前記胴部は、前記押圧部の周囲に前記押し込みを可能とする薄肉部を有し、あるいは、前記容器本体は、前記胴部の、前記押圧部に対応した位置に貫通穴を有する有底筒状の外層体と、該外層体の内側に配置され前記貫通穴より露出する部分が前記押圧部となる内層体とを有する。
【０００８】
本発明のより好適な態様では、前記胴部は、上方に向かうに従って外方へ迫り出しその上端にて前記排出口を区画する排出誘導部を有する。
【０００９】
本発明のさらに好適な態様では、前記排出誘導部の迫り出し方向を前方として、前記押圧部は前記胴部の前面側および後面側にそれぞれ設けられている。
【００１０】
本発明のさらに好適な態様では、前記容器は、上面に前記蓋体が固着されるとともに前記フランジに引き起こし可能に連結され、その引き起こしにより前記蓋体の一部を前記フランジから剥離する摘み片を有する。
【００１１】
本発明のさらに好適な態様では、前記摘み片に上向きに設けられ、前記摘み片が引き起こされた後、上下反転するまで折り倒されたときに前記蓋体に突き刺さってそこに係止され、該摘み片の折り倒し姿勢を保持する係止突起を備える。
【発明の効果】
【００１２】
本発明によれば、蓋体をフランジから部分的に剥離することで、排出口（飲み口）が出現し、出現した排出口に口を当て容器を傾けることで該排出口を通じて内容物を排出し、飲食することができる。この際、内容物が粘度の高いシャーベッド状物やゼリー状物等の濃厚流動食であり、内容物が出ないもしくは出にくい場合には、胴部に形成された押圧部を押し込むことで内容物の流動を促し、排出部に向けて内容物を移動させることができる。従って、本発明の容器によれば、ストローを使用せずに、押圧部を押すという簡単な操作で、粘度の高い内容物であっても確実に飲食を行うことができる。
【図面の簡単な説明】
【００１３】
【図１】本発明の一実施形態の容器を示し、（ａ）は平面図、（ｂ）は一部を断面で表した側面図である。
【図２】図１の容器を開封した一使用態様を示し、（ａ）は平面図、（ｂ）は一部を断面で表した側面図である。
【図３】本発明の他の実施形態の容器を示し、（ａ）は平面図、（ｂ）は一部を断面で表した側面図である。
【発明を実施するための形態】
【００１４】
以下、本発明の実施の形態を図面に基づき詳細に説明する。ここで図１は、本発明の一実施形態の容器を示し、（ａ）は平面図、（ｂ）は一部を断面で表した側面図である。なお本発明の容器は、内容物としてシャーベット状物（スムージー等）やゼリー状物といった濃厚流動食を収容するのに適しているが、流動性を有するものであれば特に限定されず、ジュースやお茶、アイスコーヒーといった低粘度の飲料を収容するものとして用いてもよい。
【００１５】
図１に示すように、本実施形態の容器１０は、主として内容物を収容する容器本体２０と、容器本体２０を封止する蓋体３０とを備えている。
【００１６】
容器本体２０は、合成樹脂製であり、内容物の収容空間を区画する底部２１および胴部２２を有する。胴部２２は、底部２１の周縁より上方へ延出した筒状をなし、胴部２２の開口幅（径）は、好ましくは上方に向かうに従い僅かに増大している。
【００１７】
胴部２２の高さ方向中間部分には、内側に押し込み可能な押圧部２３が一体的に形成されている。押圧部２３は、外力を加えた際に胴部２２の他の部分に優先して局所的に変形する部分である。従って、胴部２２の当該他の部分は、押圧部２３よりも小さな変形量で変形してもよい。本実施形態では、略円形の押圧部２３を取り囲むように、断面略Ｖ字形の折れ曲がりを有しかつ他の周辺部位に比べて薄肉とされた薄肉部２４が形成され、外力によって上記折れ曲がりを起点として薄肉部２４が変形することで押圧部２３が内側に変位するよう構成されている。好適な態様では、押圧部２３は、後述の排出誘導部２５の迫出し方向を前方として、胴部２２の前面側および後面側の対向２箇所に設けられている。このような押圧部２３の配置構成によって、消費者が排出誘導部２５に口を当てた状態で親指が前面側の押圧部２３に、残りの指が後面側の押圧部２３にそれぞれ位置するので、前後２つの押圧部２３の確実かつ容易な押圧操作が可能となる。
【００１８】
さらに胴部２２は、その上部に、上方に向かうに従って外方（図１では左側）へ迫り出し、その上端にて排出口Ｅを区画する排出誘導部２５を有する。図示例において排出誘導部２５の平面形状（図１（ａ））は、飲み易さや意匠性を考慮して角部が迫出し方向前方に位置する略Ｖ字形としているが、排出誘導部２５の平面形状はこれに限定されず、Ｕ字形などの他の形状としてもよい。
【００１９】
胴部２２の上端縁には外方へフランジ２６が延設されており、フランジ２６の上面には、蓋体３０がその周縁部下面をヒートシール等の従来のこの種の容器における固着方法により剥離可能に固着されている。そして蓋体３０の一部、図では左側に位置する前方部分３０ａをフランジ２６から剥離することで排出誘導部２５が開放され排出口Ｅが出現するようになっている。蓋体３０は、フランジ２６への固着、密封性が良好であればその材料に特に限定はなく、例えば合成樹脂製の単層もしくは積層シート、あるいはアルミニウム箔等の金属薄膜層と合成樹脂シート層とからなる複合シート等で形成することができる。
【００２０】
さらに本実施形態の容器１０は、上面に蓋体３０が固着されるとともにフランジ２６に引き起こし可能に連結され、その引き起こしにより蓋体３０の一部、図では左側に位置する前方部分３０ａをフランジ２６から剥離する摘み片４０を備えている。摘み片４０は、フランジ２６の、排出誘導部２５に対応する部分を僅かな間隔を保ちながら取り囲むように延在する半輪状の帯板４１を有し、帯板４１は、図示例では、排出誘導部２５の形状に対応した略Ｖ字形の平面形状を有するが、Ｕ字形など他の形状としてもよい。帯板４１の基端部（フランジ２６側の端部）には、摘み片４０を引き起こす際の曲げもしくは破断の起点となる切込み（図示せず）を形成しておいてもよい。
【００２１】
さらに好適な態様では、摘み片４０には、帯板４１の先端から前方（図では左側）に延出する突片４２と、突片４２の上面から上向きに突出し、摘み片４０が引き起こされた後、さらに上下反転するまで折り倒されたときに蓋体３０に突き刺さってそこ（蓋体３０）に係止され、該摘み片４０の折り倒し姿勢を保持する係止突起４３と、が形成されている。係止突起４３は、突片４２から起立する柱部４３ａと、柱部４３ａに比べて大径でかつ先端が細くなった頭部４３ｂとを有する。
【００２２】
このような構成を備えた容器１０を開封するにあたっては、摘み片４０をその上面に固着された蓋体３０と一緒に指で摘み、後方（図では右側）に引き起こす。これにより蓋体３０の、排出誘導部２５に対応した部分がフランジ２６から剥離して図２に示すように、排出誘導部２５で区画された排出口（飲み口）Ｅが出現する。そしてさらに摘み片４０を上下反転するまで折り倒して摘み片４０の係止突起４３を蓋体３０に突き刺すと、係止突起４３が蓋体３０に係止されて排出口Ｅの開放状態が保持される。
【００２３】
消費者は、排出口Ｅが出現した排出誘導部２５に口を当て容器１０を傾けることで該排出口Ｅを通じて内容物を飲食することができる。この際、内容物が粘度の高いスムージー等のシャーベッド状物やゼリー状物等の濃厚流動食であり、内容物が出ないもしくは出にくい場合には、胴部２２に形成された押圧部２３を押し込むことで内容物の流動を促し、排出口Ｅに向けて内容物を移動させることができる。従って、本実施形態の容器１０によれば、ストローを使用せずに、押圧部２３を押すという簡単な操作で、粘度の高い内容物であっても確実に飲食を行うことができる。
【００２４】
また、押圧部２３の周囲に薄肉部２４を設けて、その変形により押圧部２３の押し込みを可能にした有利な態様では、押圧部２３を胴部２２に一体的に形成することができるので、安価な容器１０を提供することができる。
【００２５】
さらに、胴部２２に、上方に向かうに従って外方へ迫り出しその上端にて排出口Ｅを区画する排出誘導部２５を設けた有利な態様では、排出誘導部２５の少なくとも一部を消費者の口に入れた状態で内容物を排出することができるので、飲食時にこぼれ難く、かつ押圧部２３を押圧した際に排出口Ｅが口からずれ難いという利点がある。
【００２６】
さらに、押圧部２３を、排出誘導部２５の迫り出し方向を前方として、胴部２２の前面側および後面側にそれぞれ設けた有利な態様によれば、消費者が排出誘導部２５に口を当てた状態で親指が前面側の押圧部２３に、残りの指が後面側の押圧部２３にそれぞれ位置するので、前後２つの押圧部２３の確実かつ容易な押圧操作が可能となる。
【００２７】
さらに、上面に蓋体３０が固着されるとともにフランジ２６に引き起こし可能に連結され、その引き起こしにより蓋体３０の一部をフランジ２６から剥離する摘み片４０を設けた有利な態様によれば、蓋体３０を容易かつ確実に開封することが可能となる。
【００２８】
さらに、摘み片４０に、該摘み片４０が引き起こされた後、上下反転するまで折り倒されたときに蓋体３０に突き刺さってそこに係止され、該摘み片４０の折り倒し姿勢を保持する係止突起４３を備えた有利な態様によれば、排出口Ｅを覆っていた蓋体３０の部分が邪魔にならず、飲食し易い容器１０を提供することができる。
【００２９】
次いで、図３を参照し本発明の他の実施形態について説明する。図３は本発明の他の実施形態の容器を示し、（ａ）は平面図、（ｂ）は一部を断面で表した側面図である。ここでは、容器本体の形態のみが図１および２に示した実施形態のものと異なるので相違点を中心に説明し、同様の構成に対しては同じ符号を付して重複する説明は適宜省略する。
【００３０】
図３に示す容器１００は、内容物の収容空間を区画する底部１２１および胴部１２２を有し、該胴部１２２の上端縁より外方へフランジ１２６が延設された容器本体１２０と、フランジ１２６の上面に周縁部下面を剥離可能に固着され、その一部を剥離することで内容物の排出口Ｅを出現させる蓋体３０と、を備え、胴部１２２は、内側に押し込み可能な押圧部１２３を有する。また胴部１２２は、その上部に、上方に向かうに従って外方（図３では左側）へ迫り出し、その上端にて排出口Ｅを区画する排出誘導部２５を有する。図示例において排出誘導部２５の平面形状（図３（ａ））は、飲み易さや意匠性を考慮して角部が迫出し方向前方に位置する略Ｖ字形としているが、排出誘導部２５の平面形状はこれに限定されず、Ｕ字形などの他の形状としてもよい。
【００３１】
さらに容器１００は、先に説明した容器１０と同様、上面に蓋体３０が固着されるとともにフランジ１２６に引き起こし可能に連結され、その引き起こしにより蓋体３０の前方部分３０ａをフランジ１２６から剥離する摘み片４０を備える。摘み片４０は、フランジ１２６から排出誘導部２５を囲むように延出する半輪状の帯板４１と、帯板４１の先端から前方に延出した突片４２と、突片４２に立設され、摘み片４０が引き起こされた後、上下反転するまで折り倒されたときに蓋体３０に突き刺さってそこに係止され、該摘み片４０の折り倒し姿勢を保持する係止突起４３とを有する。係止突起４３は、突片４２から起立する柱部４３ａと、柱部４３ａに比べて大径でかつ先端が細くなった頭部４３ｂとを有する。
【００３２】
本実施形態では、容器本体１２０は、胴部１２２の、押圧部１２３に対応した位置に貫通穴１２４を有する有底筒状の外層体１２０Ａと、該外層体１２０Ａの内側に配置され貫通穴１２４より露出する部分が押圧部１２３となる内層体１２０Ｂとを有する。外層体１２０Ａおよび内層体１２０Ｂはそれぞれ合成樹脂製であるが、外層体１２０Ａは容器本体２０の形状を保持する剛性を有し、一方で内層体１２０Ｂは、消費者が外層体１２０Ａの貫通穴１２４より露出する部分（押圧部１２３）を指で押圧した際に内側へ変形する柔らかさを有する。外層体１２０Ａと内層体１２０Ｂは互いに同材質でもよく、異材質でもよい。このような容器本体１２０は、例えばインモールド成形法により製造することができ、具体的には、まず有底筒状の外層体１２０Ａを成型し、この外層体１２０Ａをインサート体として成形金型内へインサートし、その内側に合成樹脂材料を射出して筒状の内層体１２０Ｂを成形することで形成することができる。または、容器本体１２０は、合成樹脂フィルム等からまず筒状の内層体１２０Ｂを成型し、この内層体１２０Ｂをインサート体として成形金型内へインサートし、その外側に合成樹脂材料を射出して有底筒状の外層体１２０Ａを成形することでも形成することができる。あるいは容器本体１２０は、外層体１２０Ａと内層体１２０Ｂとを別々に形成し、外層体１２０Ａ内に内層体１２０Ｂを組み付けて相互固着することによっても形成することができる。
【００３３】
本実施形態の容器１００によれば、ストローを使用せずに、外層体１２０Ａの貫通穴１２４から露出する押圧部１２３を押すという簡単な操作で、粘度の高い内容物であっても確実に飲食を行うことができるという効果に加えて、容器本体１２０が外層体１２０Ａおよび内層体１２０Ｂの２重構造であるので、例えば外層体１２０Ａと内層体１２０Ｂの色や材質を互いに異ならせることで、押圧部１２３を目立たせることができる。また、内層体１２０Ｂを透明もしくは半透明の合成樹脂フィルムから形成した場合には、内容物を外から視認可能な容器１００を提供することができる。
【００３４】
以上、図示例に基づき本発明を説明したが、本発明は上述の実施形態に限定されず、特許請求の範囲の趣旨を逸脱しない範囲で種々の変更、追加、修正が可能である。例えば、半輪状の摘み部を設ける代わりに、蓋体の周縁部の一部を容器本体のフランジからはみ出させ、そのはみ出し部分を摘み部として蓋体を剥離して排出口を出現させる構成としてもよい。また、図１で示した薄肉部に代えて、押圧部を周囲に比べて薄肉に形成し、外力を加えた際に押圧部自体が内側へ変形するように構成してもよい。
【産業上の利用可能性】
【００３５】
本発明によれば、ストローを使用せずに、簡単な操作で内容物を飲食できる容器を提供することができる。
【符号の説明】
【００３６】
１０，１００    容器
２０，１２０    容器本体
１２０Ａ        外層体
１２０Ｂ        内層体
２１，１２１    底部
２２，１２２    胴部
２３，１２３    押圧部
２４            薄肉部
１２４          貫通穴
２５            排出誘導部
２６，１２６    フランジ
３０            蓋体
４０            摘み片
４１            帯板
４２            突片
４３            係止突起
４３ａ          柱部
４３ｂ          頭部
Ｅ              排出口
【図１】
2020066448.tif 000003
【図２】
2020066448.tif 000004
【図３】
2020066448.tif 000005